(57)【要約】 【課題】テレビ放送の視聴中において、例え、意に反してその視聴を中断したとしても、後でそれを視聴できるようにする。 【解決手段】ＣＰＵ１１は、テレビ放送受信部２４からの受信映像をメイン表示部２０に出力している受信出力中に、ユーザの動作に応じてユーザの視聴状況、例えば、瞼を開いているか、閉じているかを判別し、この視聴状況に応じて当該放送受信映像を録画するか否かを制御する。 【選択図】  図３
2008154125.tif 000002
【特許請求の範囲】
【請求項１】
テレビ放送の受信映像を出力する映像出力装置であって、
テレビ放送の受信映像を出力している場合に、ユーザの動作に応じて当該ユーザの視聴状況を判別する判別手段と、
この判別手段によって判別された視聴状況に応じて当該放送受信映像を録画するか否かを制御する録画制御手段と、
を具備したことを特徴とする映像出力装置。
【請求項２】
前記判別手段は、ユーザの動作からテレビ視聴中か否かをユーザの視聴状況として判別し、
この判別手段によって視聴中でないと判別された際に、前記録画制御手段は、少なくとも視聴されていない箇所の放送受信映像を録画する、
ようにしたことを特徴とする請求項１記載の映像出力装置。
【請求項３】
前記録画制御手段は、前記判別手段によって視聴中でないと判別された際に、その時点から放送受信映像の録画を開始し、ユーザが視聴中であると判別された際に、その録画を停止する、
ようにしたことを特徴とする請求項２記載の映像出力装置。
【請求項４】
前記録画制御手段は、放送受信映像を所定時間分一時的に録画する仮録画中に、前記判別手段によって視聴中でないと判別された際に、前記仮録画部分を含めてそれ以降の放送受信映像を録画する、
ようにしたことを特徴とする請求項２記載の映像出力装置。
【請求項５】
前記判別手段によってユーザが視聴中でないと判別された際に、放送受信映像の出力停止に先立って、それ以降も継続して視聴するか否かを問い合わせる確認報知を行う報知手段を設け、
前記継続視聴の要求が無いことを条件に放送受信映像の出力を停止する、
ようにしたことを特徴とする請求項２記載の映像出力装置。
【請求項６】
前記視聴状況に応じて録画された録画内容が存在している場合には、その存在を報知する、
ようにしたことを特徴とする請求項１記載の映像出力装置。
【請求項７】
映像情報を再生出力する映像出力装置であって、
映像情報を再生出力している場合に、ユーザの動作に応じて当該ユーザの視聴状況を判別する判別手段と、
この判別手段によって判別された視聴状況に応じて当該映像情報の再生出力を制御する再生制御手段と、
を具備したことを特徴とする映像出力装置。
【請求項８】
前記判別手段は、ユーザの動作から再生出力の視聴中であるか否かをユーザの視聴状況として判別し、
この判別手段によって視聴中でないと判別された際に、前記再生制御手段は、その時点から映像情報の再生出力を停止する、
ようにしたことを特徴とする請求項７記載の映像出力装置。
【請求項９】
前記再生制御手段は、前記判別手段によって視聴中でないと判別された際に、その時点から映像情報の再生出力を停止し、ユーザが視聴中であると判別された際に、その再生出力を再開する、
ようにしたことを特徴とする請求項８記載の映像出力装置。
【請求項１０】
前記判別手段によってユーザが視聴中でないと判別された際に、映像情報の再生出力を停止するに先立って、それ以降も継続して視聴するか否かを問い合わせる確認報知を行う報知手段を設け、
前記継続視聴の要求が無いことを条件に映像情報の再生出力を停止する、
ようにしたことを特徴とする請求項８記載の映像出力装置。
【請求項１１】
ユーザに対面してユーザ撮影を行う撮影手段を設け、
この撮影手段によって撮影されたユーザ画像に基づいて前記判別手段は、ユーザの視聴状況を判別する、
ようにしたことを特徴とする請求項１あるいは７記載の映像出力装置。
【請求項１２】
前記判別手段は、前記ユーザ画像を解析することによってそれに含まれているユーザの目の開閉状態からユーザが視聴中か否かを判別する、
ようにしたことを特徴とする請求項１２記載の映像出力装置。
【請求項１３】
人体を感知する人体検出手段を設け、
この人体検出手段によって得られた検出結果に基づいて前記判別手段は、ユーザの視聴状況を判別する、
ようにしたことを特徴とする請求項１あるいは７記載の映像出力装置。
【請求項１４】
装置本体が外部クレードルに載置されたか否かに検出するクレードル検出手段を設け、
このクレードル検出手段によって装置本体が外部クレードルに載置されていないことが検出されている場合に、前記人体検出手段は、装置本体を人体が接触しているか否かを検出する、
ようにしたことを特徴とする請求項１３記載の映像出力装置。
【請求項１５】
装置本体に表示部を開閉可能に取り付けた映像出力装置であって、
表示部の開閉状態を検出する開閉検出手段を設け、
この開閉検出手段による検出結果に基づいて前記判別手段は、ユーザの視聴状況を判別する、
ようにしたことを特徴とする請求項１あるいは７記載の映像出力装置。
【請求項１６】
コンピュータに対して、
テレビ放送の受信映像を出力している場合に、ユーザの動作に応じて当該ユーザの視聴状況を判別する機能と、
前記判別された視聴状況に応じて当該放送受信映像を録画するか否かを制御する機能と、
を実現させるためのプログラム。
【請求項１７】
コンピュータに対して、
映像情報を再生出力している場合に、ユーザの動作に応じて当該ユーザの視聴状況を判別する機能と、
前記判別された視聴状況に応じて当該映像情報の再生出力を制御する機能と、
を実現させるためのプログラム。
【発明の詳細な説明】
【技術分野】
【０００１】
この発明は、テレビ放送の受信映像あるいは映画コンテンツなどの映像情報を再生出力する映像出力装置及びプログラムに関する。
【背景技術】
【０００２】
一般に、テレビ放送を受信して出力している受信出力中に、ユーザが居眠りをしてしまったり、急用によって別の場所に移動してしまったりすることがある。このようにテレビ放送の視聴中にその視聴を一時中断することがあるため、従来では、ユーザをカメラ撮影することによってユーザが画面を見ているか否かを調べ、見ていなければ、表示部をオフする技術が知られている（特許文献１参照）。
【特許文献１】特開平１１−２８８２５９号公報
【発明の開示】
【発明が解決しようとする課題】
【０００３】
しかしながら、上述の先行技術では、ユーザが画面を見ていない場合に、表示部の電源を切ることによって省電力化を図ることができたとしても、テレビ視聴の一時中断時には、その一部を見逃してしまうことになる。このことは、テレビ視聴時に限らず、映画コンテンツなどの映像情報を再生出力している場合であっても同様の問題が起きる。
【０００４】
この発明の課題は、テレビ放送／映像再生の視聴中において、例え、意に反してその視聴を中断したとしても、後でそれを視聴できるようにすることである。
【課題を解決するための手段】
【０００５】
請求項１記載の発明（第１の発明）は、テレビ放送の受信映像を出力する映像出力装置であって、テレビ放送の受信映像を出力している場合に、ユーザの動作に応じて当該ユーザの視聴状況を判別する判別手段と、この判別手段によって判別された視聴状況に応じて当該放送受信映像を録画するか否かを制御する録画制御手段とを具備したことを特徴とする。
更に、コンピュータに対して、上述した請求項１記載の発明に示した主要機能を実現させるためのプログラムを提供する（請求項１６記載の発明）。
なお、「視聴」とは、一般に映像を見る、音声を聞くことを意味しているが、映像を見るだけの場合も「視聴」と呼ぶものとする（以下、同様）。
【０００６】
上述した請求項１記載の発明は、次のようなものであってもよい。
前記判別手段は、ユーザの動作からテレビ視聴中か否かをユーザの視聴状況として判別し、この判別手段によって視聴中でないと判別された際に、前記録画制御手段は、少なくとも視聴されていない箇所の放送受信映像を録画する（請求項２記載の発明）。
【０００７】
なお、請求項２記載の発明において、記録画制御手段は、前記判別手段によって視聴中でないと判別された際に、その時点から放送受信映像の録画を開始し、ユーザが視聴中であると判別された際に、その録画を停止するようにしてもよい（請求項３記載の発明）。また、前記録画制御手段は、放送受信映像を所定時間分一時的に録画する仮録画中に、前記判別手段によって視聴中でないと判別された際に、前記仮録画部分を含めてそれ以降の放送受信映像を録画するようにしてもよい（請求項４記載の発明）。また、前記判別手段によってユーザが視聴中でないと判別された際に、放送受信映像の出力停止に先立って、それ以降も継続して視聴するか否かを問い合わせる確認報知を行う報知手段を設け、前記継続視聴の要求が無いことを条件に放送受信映像の出力を停止するようにしてもよい（請求項５記載の発明）。
【０００８】
前記視聴状況に応じて録画された録画内容が存在している場合には、その存在を報知する（請求項６記載の発明）。
【０００９】
ユーザに対面してユーザ撮影を行う撮影手段を設け、この撮影手段によって撮影されたユーザ画像に基づいて前記判別手段は、ユーザの視聴状況を判別する（請求項１１記載の発明）。
この請求項１１記載の発明において、前記判別手段は、前記ユーザ画像を解析することによってそれに含まれているユーザの目の開閉状態から視聴中か否かを判別するようにしてもよい（請求項１２記載の発明）。
【００１０】
人体を感知する人体検出手段を設け、この人体検出手段によって得られた検出結果に基づいて前記判別手段は、ユーザの視聴状況を判別する（請求項１３記載の発明）。
この請求項１３記載の発明において、装置本体が外部クレードルに載置されたか否かに検出するクレードル検出手段を設け、このクレードル検出手段によって装置本体が外部クレードルに載置されていないことが検出されている場合に、前記人体検出手段は、装置本体を人体が接触しているか否かを検出するようにしてもよい（請求項１４記載の発明）。
【００１１】
装置本体に表示部を開閉可能に取り付けた映像出力装置であって、表示部の開閉状態を検出する開閉検出手段を設け、この開閉検出手段による検出結果に基づいて前記判別手段は、ユーザの視聴状況を判別する（請求項１５記載の発明）。
【００１２】
請求項７記載の発明（第２の発明）は、映像情報を再生出力する映像出力装置であって、映像情報を再生出力している場合に、ユーザの動作に応じて当該ユーザの視聴状況を判別する判別手段と、この判別手段によって判別された視聴状況に応じて当該映像情報の再生出力を制御する再生制御手段とを具備したことを特徴とする。
更に、コンピュータに対して、上述した請求項７記載の発明に示した主要機能を実現させるためのプログラムを提供する（請求項１７記載の発明）。
【００１３】
上述した請求項７記載の発明は次のようなものであってもよい。
前記判別手段は、ユーザの動作から再生出力の視聴中であるか否かをユーザの視聴状況として判別し、この判別手段によって視聴中でないと判別された際に、前記再生制御手段は、その時点から映像情報の再生出力を停止する（請求項８記載の発明）。
【００１４】
なお、請求項８記載の発明において、前記再生制御手段は、前記判別手段によって視聴中でないと判別された際に、その時点から映像情報の再生出力を停止し、ユーザが視聴中であると判別された際に、その再生出力を再開するようにしてもよい（請求項９記載の発明）。また、前記判別手段によってユーザが視聴中でないと判別された際に、映像情報の再生出力を停止するに先立って、それ以降も継続して視聴するか否かを問い合わせる確認報知を行う報知手段を設け、前記継続視聴の要求が無いことを条件に映像情報の再生出力を停止するようにしてもよい（請求項１０記載の発明）。
その他、この請求項７記載の発明においても、上述した請求項１１〜１５記載の発明であってもよい。
【発明の効果】
【００１５】
第１の発明は、テレビ放送の視聴中にその視聴を中断して見逃してしまったとしても、その中断部分を後で視聴することができる。
【００１６】
第２の発明は、映像情報の再生出力中にその視聴を中断して見逃してしまったとしても、その中断部分から後で再生視聴することができる。
【発明を実施するための最良の形態】
【００１７】
（実施例１）
以下、図１〜図４を参照して本発明の第１実施例を説明する。
この実施例は、映像出力装置としてテレビ放送受信機能付きの携帯電話装置に適用した場合を例示したもので、図１は、デジタルテレビ放送受信機能付きの携帯電話装置１を示した外観斜視図である。
この携帯電話装置１は、例えば、２つの筐体（操作部筐体１Ａ、表示部筐体１Ｂ）が開閉可能に取り付けられた折り畳み自在なもので、操作部筐体１Ａに対して表示部筐体１Ｂを開いた状態（オープンスタイル）では、操作部筐体１Ａに配置されているキーボード１Ｃと表示部筐体１Ｂに配置されているメイン画面１Ｄ、カメラレンズ部１Ｅが露出した状態となり、また、操作部筐体１Ａに対して表示部筐体１Ｂを閉じた状態（クローズスタイル）では、キーボード１Ｃ、メイン画面１Ｄ、カメラレンズ部１Ｅが覆い隠された状態となる。
【００１８】
図２は、テレビ放送受信機能付きの携帯電話装置１を外部クレードル（充電台）２に載置（接続）した状態を示した図である。
携帯電話装置１を外部クレードル２に載置した状態において、そのテレビ放送受信機能によって受信したテレビ映像は、そのメイン画面１Ｄに表示されて視聴可能となる。すなわち、携帯電話装置１は、二次電池（図示せず）への充電中にテレビ視聴が可能なもので、テレビ視聴時には、携帯電話装置１をオープンスタイルで外部クレードル２に載置するようにしている。なお、携帯電話装置１は、テレビ放送の視聴に限らず、記録メディアから外部供給されたり、インターネットからダウンロード受信したりして取得した映画コンテンツなども視聴可能となっている。外部クレードル２は、ＡＣ電源に接続されている状態において携帯電話装置１が載置された際に、携帯電話装置１の二次電池（図示せず）に対して充電電流を供給する充電機能を備えている。
【００１９】
図３は、デジタルテレビ放送受信機能付きの携帯電話装置１の基本的な構成要素を示したブロック図である。
携帯電話装置１は、電話機能（通話機能）、メール機能、インターネット接続機能（Ｗｅｂアクセス機能）のほか、テレビ放送受信機能、テレビ放送録画機能、映像再生機能などが備えられている。ＣＰＵ１１は、記憶部１２内の各種のプログラムに応じてこの携帯電話装置の全体動作を制御する中核的な中央演算処理装置である。記憶部１２は、内部メモリであり、プログラム領域とデータ領域とを有し、このプログラム領域には、後述する図４に示す動作手順に応じて本実施例を実現するためのプログラムが格納されている。記録メディア１３は、着脱自在な可搬型メモリで、例えば、ＳＤカード、ＩＣカードなどによって構成され、映画コンテンツなどを外部供給する場合にも使用される。メモリ１４は、ワーク領域を有する内部メモリであり、必要に応じてメモリ１４内の各種のデータは、記憶部１２にセーブされる。
【００２０】
電話通信部１５は、無線部を構成するアンテナに接続された送受信部（ベースバンド部）の受信側から信号を取り込んで受信ベースバンド信号に復調したのちに、音響制御部１６を介して受話スピーカ１７から音声出力させる。また、電話通信部１５は、送話マイク１８から入力された音声データを音響制御部１６から取り込み、送信ベースバンド信号に符号化したのちに送受信部の送信側に与えられてアンテナから発信出力させる。一方、インターネット接続機能などによって電話通信部１５を介して受信取得した映画コンテンツなどは、表示制御部１９を介してメイン表示部２０に与えられて表示出力される。
【００２１】
メイン表示部２０は、表示部筐体１Ｂの表面側に配置されたメイン画面１Ｄを有し、テレビ映像などを高品位に表示可能な液晶表示ディスプレイあるいは有機ＥＬディスプレイなどである。サブ表示部２１は、表示部筐体１Ｂの背面側（裏面側）に配置されたサブ画面（図示せず）を有し、現在日時、メッセージ、アイコンなどを表示する液晶表示ディスプレイあるいは有機ＥＬディスプレイなどである。キー操作部２２は、ダイヤル入力、文字入力、コマンド入力などを行うもので、テレビ放送受信機能をオン／オフさせるテレビ開始／終了キー、録画再生開始／終了キーなどが備えられており、ＣＰＵ１１は、キー操作部２２からのキー入力信号に応じた処理を実行する。
【００２２】
インカメラ２３は、表示部筐体１Ｂの表面側に配置されたカメラレンズ部１Ｅを有し、自己の顔などを撮影するＴＶ電話用のカメラ撮像部であり、静止画撮影のほかに動画撮影も可能なもので、撮影レンズ、ミラー等のレンズ・ミラーブロック、撮像素子、その駆動系のほか、測距センサ、光量センサ、アナログ処理回路、信号処理回路、圧縮伸張回路等を備え、光学ズームの調整制御、オートフォーカス時の駆動制御、シャッター駆動制御、露出、ホワイトバランス等を制御する。
【００２３】
テレビ放送受信部２４は、携帯電話などの携帯受信機向けの地上波デジタルテレビ放送を受信するもので、テレビ映像及び音声情報以外にも電子番組表(ＥＰＧ)なども含めて受信可能である。テレビ放送受信部２４は、ＴＶアンテナに接続されていて放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データの解凍などを行うデジタル回路部を有している。テレビ映像データ及び文字データは、メイン表示部２０から表示出力され、また、テレビ音声データは、サウンドスピーカ２５から出力される。
【００２４】
テレビ放送の受信映像を出力している間、ＣＰＵ１１は、インカメラ２３からユーザの顔画像を取得し、その顔画面を解析しながら目の開閉状態、つまり、瞼を開いているか、閉じているかを調べ、その開閉状態に応じてテレビ画面に対するユーザの視聴状況を判別するようにしている。この場合、テレビ放送の受信出力中に瞼を開いていれば、テレビ画面を見ている（視聴中）と判断し、瞼を閉じていれば、テレビ視聴中でないと判断する。このユーザの視聴状況に応じてＣＰＵ１１は、放送受信内容の録画（録音を含む、以下同様）を制御するようにしている。すなわち、テレビ視聴中でないと判断した際には、その時点から受信内容の録画を開始し、ユーザが視聴中であると判断した際には、その録画を停止するようにしている。なお、ＣＰＵ１１は、録画ファイルを生成して記憶部１２あるいは外部記録メディア１３に録画保存する。
【００２５】
なお、後述する第２実施例で使用するスタイル検出部２６、クレードル接続部２７、導体センサ２８について簡単に説明しておく。スタイル検出部２６は、操作部筐体１Ａと表示部筐体１Ｂとの開閉状態を検出する磁気センサあるいはマイクロスイッチなどであり、その開閉に応じてスタイル検出信号を出力してＣＰＵ１１に与える。クレードル接続部２７は、装置本体が外部クレードル２に載置された際に、クレードル接続信号をＣＰＵ１１に与える。導体センサ２８は、装置本体を手で把持した際に、人体に接触する領域、例えば、操作部筐体１Ａの両側部などに貼り付けられた人体接触センサである。
【００２６】
次に、この第１実施例における携帯電話装置の動作概念を図４に示すフローチャートを参照して説明する。ここで、このフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは後述する他の実施例においても同様であり、記録媒体のほかに、伝送媒体を介して外部供給されたプログラム／データを利用してこの実施例特有の動作を実行することもできる。
なお、図４は、携帯電話装置の全体動作のうち、本実施例の特徴部分の動作概要を示したフローチャートであり、この図４のフローから抜けた際には、全体動作のフロー（図示省略）に戻る。
【００２７】
図４は、テレビ放送受信開始がユーザ指示された際に実行開始される動作を示したフローチャートである。
先ず、ＣＰＵ１１は、操作部筐体１Ａに対して表示部筐体１Ｂが開いているオープンスタイルにおいて、上述したテレビ開始／終了キーの操作によって受信開始が指示されると、テレビ放送受信部２４を起動すると共に（ステップＡ１）、インカメラ２３を起動し（ステップＡ２）、テレビ放送受信部２４から取得したテレビ映像をメイン表示部２０に表示させるほか、そのテレビ音声をサウンドスピーカ２５から出力させる（ステップＡ３）。この状態において、何らかのキー操作が行われると（ステップＡ４）、再び、テレビ開始／終了キーの操作によってテレビ受信終了を指示する終了操作が行われたかを調べ（ステップＡ５）、それ以外の操作であれば（ステップＡ５でＮＯ）、その操作キー対応の処理として、例えば、音量調整、チャンネル切り換えなどの処理を実行する（ステップＡ６）。
【００２８】
いま、テレビ放送の受信出力中において、何のキー操作が行われていないタイミングでは（ステップＡ４でＮＯ）、インカメラ２３によって撮影されたユーザ画像を解析して顔の目の部分を判別し（ステップＡ７）、目の開閉状態（瞼が開いているか、閉じている）かを調べる（ステップＡ８）。ここで、瞼を開いていると認識すると（ステップＡ８でＮＯ）、テレビ画面を見ている（視聴中である）と判断してステップＡ４に戻るが、瞼を閉じていると認識すると（ステップＡ８でＹＥＳ）、所定時間（例えば、５秒）が経過するまで（ステップＡ９でＹＥＳ）、ステップＡ７に戻り、瞼が閉じられたままであるかを調べる。
【００２９】
ここで、所定時間（例えば、５秒）経過する前に瞼が開けられた場合には（ステップＡ８でＮＯ）、テレビ視聴中であると判断してステップＡ４に戻るが、瞼を閉じたまま所定時間が経過したときには、テレビを見ていない（眠っている可能性が高い）と判断し、テレビ録画動作を開始して受信内容をメモリ１４に録画するほか（ステップＡ１０）、テレビ放送の受信出力を一時停止する（ステップＡ１１）。このテレビ録画中においても、上述と同様に、インカメラ２３によって撮影されたユーザ画像を解析して顔の目の部分を判別し（ステップＡ１２）、目の開閉状態を調べ（ステップＡ１３）、瞼が開くまでステップＡ１２に戻って待機状態となる。
【００３０】
この録画中において、瞼が開いたことを検出すると（ステップＡ１３でＹＥＳ）、テレビ放送の受信出力を再開して（ステップＡ１４）、この録画動作を終了する（ステップＡ１５）。そして、この録画内容に基づいて録画ファイルを生成して記憶部１２あるいは外部記録メディア１３に録画保存すると共に（ステップＡ１６）、録画ファイルが存在していることをユーザに知らせるために録画有りマークをメイン画面１Ｄに表示させたのち（ステップＡ１７）、キー操作待ち状態となる（ステップＡ４）。
【００３１】
また、テレビ開始／終了キーの操作によってテレビ放送の受信終了が指示されると（ステップＡ５でＹＥＳ）、視聴の一時中断時に録画保存されたファイルが有るか否かを調べ（ステップＡ１８）、該当する録画ファイルが無ければ、このフローの終了となるが、録画保存されているファイルが有れば、それを再生するか否かを問い合わせる確認メッセージを表示させる（ステップＡ１９）。ここで、ユーザから再生不要が指示された場合には（ステップＡ２０でＮＯ）、当該録画ファイルを削除したのち（ステップＡ２２）、このフローの終了となるが、ユーザからＹＥＳ回答（再生要求）を受けたときには、当該録画ファイルの内容を読み出して再生出力させたのち（ステップＡ２１）、当該録画ファイルを削除する（ステップＡ２２）。
【００３２】
以上のように、この第１実施例においてＣＰＵ１１は、テレビ放送受信部２４からの受信映像をメイン画面（テレビ画面）１Ｄに出力している受信出力中に、ユーザの動作に応じてユーザの視聴状況を判別し、この視聴状況に応じて当該放送受信映像を録画するか否かを制御することにより、テレビ放送の視聴中にその視聴を中断して見逃してしまったとしても、その中断部分を後で視聴することができる。
【００３３】
ＣＰＵ１１は、ユーザの動作からテレビ視聴中か否かをユーザの視聴状況として判別し、視聴していなければ、その時点から放送受信映像の録画を開始し、視聴していれば、その録画を停止することにより、中断部分を確実に録画することが可能となり、テレビ視聴を意に反して中断した場合でも自動録画によって対応することができる。
【００３４】
テレビ放送の受信終了が指示された際に、ＣＰＵ１１は、録画保存されたファイルの存在有無を調べ、該当する録画ファイルが有れば、それを再生するか否かを問い合わせる確認メッセージを表示することにより、視聴を中断した部分の録画存在していることを知らせることができる。
【００３５】
ＣＰＵ１１は、ユーザに対面してユーザ撮影を行うインカメラ２３によって撮影されたユーザ画像に基づいて視聴状況を判別することにより、視聴状況を確実に把握することが可能となる。この場合、ユーザ画像を解析することによってそれに含まれているユーザの目の開閉状態からユーザが視聴中か否か（眠っているか否か）などを判別することができる。
【００３６】
なお、上述した第１実施例においては、視聴有無に応じて録画を開始／終了することにより、中断部分を録画するようにしたが、現在録画している番組の終了時を電子番組表などで特定し、この番組の終了時刻に録画を終了するようにしてもよい。また、この録画中に瞼が開いて視聴を再開したとしても、その番組が終了するまで録画を継続するようにしてもよい。
【００３７】
また、上述した第１実施例においては、インカメラ２３によって撮影されたユーザ画像を解析することによって目の開閉状態からユーザが視聴中か否か（眠っているか否か）を判別するようにしたが、ユーザ画像を解析することにより目の視線方向を認識し、視線がメイン画面１Ｄの方向から外れているか否かに応じてユーザが視聴中か否かを判別するようにしてもよい。また、予めユーザの顔を撮影した画像を登録しておき、この登録画像とインカメラ２３によって撮影された撮影画像とを比較することによってユーザが存在しているか否かに基づいてユーザが視聴中か否かを判別するようにしてもよい。
（実施例２）
【００３８】
以下、この発明の第２実施例について図５及び図６を参照し説明する。
なお、上述した第１実施例においては、目の開閉状態からユーザが視聴中か否かを判別するようにしたが、この第２実施例においては、上述したスタイル検出部２６、クレードル接続部２７、導体センサ２８を使用してユーザが視聴中か否かを判別するようにしたものである。すなわち、表示部筐体１Ｂの開閉状態（オープンスタイル／クローズスタイル）に応じて視聴中か否かを判別したり、装置本体が外部クレードル２に載置されたか否かに応じて視聴中か否かを判別したり、装置本体を人体が接触しているか否かに応じて視聴中か否かを判別したりするようにしたものである。
ここで、両実施例において基本的あるいは名称的に同一のものは、同一符号を付して示し、その説明を省略すると共に、以下、第２実施例の特徴部分を中心に説明するものとする。
【００３９】
図５及び図６は、第２実施例において、テレビ放送受信開始がユーザ指示された際に実行開始される動作を示したフローチャートである。
先ず、ＣＰＵ１１は、操作部筐体１Ａに対して表示部筐体１Ｂが開いているオープンスタイルにおいて、上述したテレビ開始／終了キーの操作によって受信開始が指示されると、テレビ放送受信部２４を起動すると共に（ステップＢ１）、録画バッファ（図示せず）を動作して一時録画を開始する（ステップＢ２）。この録画バッファは、上書き方式に従って所定時間分（例えば、２分間分）の録画をサイクリックに実行可能なリンクバッファであり、ＣＰＵ１１は、テレビ放送受信部２４から取得した放送受信内容を当該録画バッファに一時的に録画する仮録画を開始したのちに、テレビ映像をメイン画面（テレビ画面）１Ｄに表示させるほか、そのテレビ音声をサウンドスピーカ２５から出力させる（ステップＢ３）。
【００４０】
いま、テレビ放送の受信出力中において、何のキー操作が行われていないタイミングでは（ステップＢ４でＮＯ）、導体センサ２８からの検出信号に基づいてユーザが装置本体を把持しているか否か、言い換えれば、人体接触有無を調べ（ステップＢ５）、接触していなければ（ステップＢ５でＮＯ）、視聴フラグの有無を調べる（ステップＢ６）。この視聴フラグは、後述するが、テレビ視聴中であることを示すもので、視聴フラグがオンされていれば、装置本体を外部クレードル２などに置いて視聴中であると判断して（ステップＢ６でＹＥＳ）、上述のステップＢ４に戻るが、視聴フラグがオフされていれば、（ステップＢでＮＯ）、図６のフローに移る。
【００４１】
先ず、放送受信映像の出力停止に先立って、視聴を継続するかを問い合わせるための警告メッセージを表示させ、それ以降も継続して視聴するか否かを問い合わせる確認報知を行う（ステップＢ１１）。ここで、視聴継続を指示するＹＥＳ操作が行われると（ステップＢ１２）、視聴継続を可能とするために視聴フラグをオンに切り換えたのち（ステップＢ１３）、図５のステップＢ４に戻るが、ＹＥＳ操作が行われなかった場合には、（ステップＢ１２でＮＯ）、テレビ視聴を一時中断する場合であると判断して、一時録画から継続録画に変更する（ステップＢ１４）。つまり、上述の録画バッファをアクセスし、この２分間分の録画内容を含めて、それ以降、継続的（本格的）な録画動作を行う継続録画に変更する。そして、放送受信内容の出力を停止したのち（ステップＢ１５）、導体センサ２８をアクセスし、人体接触が検出されるまで待ち状態となる（ステップＢ１６）。
【００４２】
ここで、装置本体を外部クレードル２などに置いた状態から導体センサ２８によって人体接触が検出されると（ステップＢ１６でＹＥＳ）、テレビ視聴を再開する場合であると判断し、放送受信映像の出力を再開すると共に（ステップＢ１７）、上述の継続録画を終了し、一時録画を再開する（ステップＢ１８）。そして、この継続録画された内容に基づいて録画ファイルを生成し、記憶部１２あるいは外部記録メディア１３に録画保存させたのち（ステップＢ１９）、図５のステップＢ４に戻る。
【００４３】
一方、一時録画中において導体センサ２８によって人体接触有りが検出されると（図５のステップＢ５でＹＥＳ）、図６のフローに移り、スタイル検出部２６をアクセスし、クローズ操作の有無を調べる（ステップＢ２０）。いま、オープンスタイルからクローズスタイルに変更されると、テレビ視聴を一時中断する場合であると判断して、上述の一時録画から継続録画に変更すると共に（ステップＢ２１）、放送受信内容の出力を停止したのち（ステップＢ２２）、スタイル検出部２６をアクセスし、クローズスタイルからオープンスタイルされるまで待ち状態となる（ステップＢ２３）。ここで、オープンスタイル操作を検出すると（ステップＢ２３でＹＥＳ）、テレビ視聴を再開する場合であると判断し、放送受信映像の出力を再開すると共に（ステップＢ１７）、上述の継続録画を終了し、一時録画を再開する（ステップＢ１８）。そして、この継続録画された内容に基づいて録画ファイルを生成して録画保存させる（ステップＢ１９）。
【００４４】
また、導体センサ２８によって人体接触有りが検出されている状態において（図５のステップＢ５でＹＥＳ）、クレードル接続部２７をアクセスして、その検出信号の変化有無を調べ（ステップＢ２４）、変化が無ければ、図５のステップＢ４に戻るが、変化が有れば、装置本体を外部クレードル２に載置（接続）したことによる変化であるか、外部クレードル２から装置本体を取り外したことによる変化であるかを調べる（ステップＢ２５）。ここで、テレビ放送の受信出力中に装置本体をクレードル２に載置した場合には、引き続いて視聴する場合であると判断して、上述の視聴フラグをオンし（ステップＢ２６）、テレビ放送の受信出力中に外部クレードル２から装置本体を取り外した場合には、視聴を止める場合であると判断して、視聴フラグをオフしたのち（ステップＢ２７）、図５のステップＢ４に戻る。
【００４５】
他方、何らかのキーが操作された場合に（図５のステップＢ４でＹＥＳ）、それがテレビ受信終了を指示する終了操作であれば（ステップＢ７でＹＥＳ）、今回のテレビ視聴中に録画保存された録画ファイルが存在しているかを調べる（ステップＢ８）。いま、テレビ視聴を一時中断した場合には、その中断箇所の録画が保存されているので（ステップＢ）、録画有りメッセージを表示させてその再生有無を問い合わせ（ステップＢ９）、再生開始の指示操作に応じて当該録画内容を再生出力させる（ステップＢ１０）。
【００４６】
以上のように、この第２実施例においては、テレビ視聴の一時中断検出時に、録画バッファへの録画から継続録画に変更し、この録画バッファの録画内容を含めて、それ以降を継続的に録画することにより、中断直前の放送内容を含めた録画することができ、その再生時には、視聴部分から未視聴部分に移行することができる。
【００４７】
テレビ視聴の一時中断検出時には、放送受信内容の出力停止に先立って、それ以降も継続して視聴するか否かを問い合わせる確認メッセージを表示することにより、不意の出力停止を防ぐことができる。
【００４８】
テレビ受信終了を指示する終了操作時に、今回のテレビ視聴中に録画保存された録画ファイルが存在していれば、録画有りメッセージを表示させてその存在を報知することにより、視聴中に一時中断した箇所が有ることを知ることができ、その一時中断箇所を引き続いて再生視聴することができる。
【００４９】
操作部筐体１Ａの両側部などに貼り付けた導体センサ２８によって人体接触有無を検出し、この検出結果に基づいて視聴中か否かを判別することにより、テレビ放送受信出力中に装置本体を手で把持していれば、視聴中であると判断することができ、把持していなければ、視聴していないと判断することができ、ユーザの視聴状況を確実に得ることが可能となる。
【００５０】
クレードル接続部２７によって装置本体が外部クレードル２に載置されたか否かを検出し、この検出結果に基づいて視聴中か否かを判別することにより、テレビ放送受信出力中に装置本体が外部クレードル２に載置されていれば、視聴中であると判断することができる。ここで、外部クレードル２に載置されていない場合に、装置本体を手で把持していれば、視聴中であると判断することができ、把持していなければ、視聴していないと判断することができ、ユーザの視聴状況を確実に得ることが可能となる。
【００５１】
スタイル検出部２６によって装置本体のスタイルを検出し、テレビ放送受信出力中にオープンスタイルであれば、視聴中であると判断することができ、クローズスタイルであれば、視聴していないと判断することができ、ユーザの視聴状況を確実に得ることが可能となる。
【００５２】
なお、上述した第２実施例においては、人体の接触状態を検出する導体センサ２８を設けたが、体温センサを設けたり、人体が近くにいることを検出する接近センサ（例えば、赤外線センサなど）を設けたりしてもよい。つまり、人体を感知可能であればよい。また、視聴継続を問い合わせる警告メッセージを表示したのち、ＹＥＳ操作が行われなかった場合には、所定時間（例えば、１０秒）が経過するのち、受信内容の出力を停止するようにしてもよい。
（実施例３）
【００５３】
以下、この発明の第３実施例について図７を参照し説明する。
なお、上述した第１及び第２実施例においては、テレビ放送の出力中に視聴中であるか否かを判別するようにしたが、この第３実施例においては、映画コンテンツ、撮影画像などの映像情報の再生出力中において、ユーザの顔画像を撮影しながら視聴中であるか否かを判別するようにしたものである。
ここで、第１実施例と第３実施例において基本的あるいは名称的に同一のものは、同一符号を付して示し、その説明を省略すると共に、以下、第２実施例の特徴部分を中心に説明するものとする。
【００５４】
図７は、第３実施例において、映像再生がユーザ指示された際に実行開始される動作を示したフローチャートである。
先ず、ＣＰＵ１１は、再生対象として指定された映画コンテンツなどを記憶部１２あるいは外部記録メディア１３から読み出し、この映像をメイン画面（再生画面）１Ｄに表示させるほか、その音声をサウンドスピーカ２５から出力させたのち（ステップＣ１）インカメラ２３を起動する（ステップＣ２）。この状態において、何らかのキー操作が行われると（ステップＣ３）、再生終了を指示する終了操作が行われたかを調べ（ステップＣ４）、それ以外の操作であれば、その操作キー対応の処理として、例えば、音量調整、チャンネル切り換えなどの処理を実行する（ステップＣ５）。
【００５５】
いま、テレビ放送の受信出力中において、何のキー操作が行われていないタイミングでは（ステップＣ３でＮＯ）、インカメラ２３によって撮影されたユーザ画像を解析して顔の目の部分を判別し（ステップＣ６）、上述した第１実施例と同様、目の開閉状態を調べ（ステップＣ７）、開いていれば、再生画面を見ている（視聴中である）と判断してステップＣ３に戻るが、目を閉じていれば（ステップＣ７でＹＥＳ）、所定時間（例えば、５秒）が経過するまで（ステップＣ８でＹＥＳ）、ステップＣ６に戻り、目が閉じられたままであるかを調べる。
【００５６】
いま、所定時間（例えば、５秒）経過する前に目が開けられたときには（ステップＣ７でＮＯ）、視聴中であると判断してステップＣ３に戻るが、目を閉じたまま所定時間が経過したときには、再生画面を見ていない（眠っている可能性が高い）と判断し、再生動作を一時停止する（ステップＣ９）。この再生停止中においても、上述と同様に、インカメラ２３によって撮影されたユーザ画像を解析して顔の目の部分を判別し（ステップＣ１０）、目の開閉状態を調べ（ステップＣ１１０）、目が閉じたままであれば、再生停止のままとなる。ここで、目が開けられると（ステップＣ１１でＹＥＳ）、再生動作を再開したのち（ステップＣ１２）、上述のステップＣ３に戻る。
【００５７】
以上のように、この第３実施例においてＣＰＵ１１は、映画コンテンツ、撮影画像などの映像情報をメイン画面（再生画面）１Ｄに出力している再生出力中に、ユーザの動作に応じてユーザの視聴状況を判別し、この視聴状況に応じて当該再生出力を制御することにより、再生出力中にその視聴を中断して見逃してしまったとしても、その中断部分を後で視聴することができる。
【００５８】
ＣＰＵ１１は、ユーザの動作から再生映像を視聴中か否かをユーザの視聴状況として判別し、視聴していなければ、その時点で再生出力を停止し、再び、視聴を始めれば、その再生を再開することにより、映像再生中に意に反してその視聴を中断したとしても、その中断に影響されることなく、引き続いて再生映像を視聴することができる。
【００５９】
なお、第３実施例においても、上述した第１実施例と同様に、インカメラ２３によって撮影されたユーザ画像を解析し、目の開閉状態からユーザが視聴中か否か（眠っているか否か）などを判別することができる。
【００６０】
また、第３実施例においても、上述した第２実施例と同様に、スタイル検出部２６、クレードル接続部２７、導体センサ２８を使用してユーザが視聴中か否かを判別するようにしてもよい。この場合、再生映像をユーザが視聴中でないと判別した際に、映像情報の再生出力を停止するに先立って、上述したステップＢ１１のように、それ以降も継続して視聴するか否かを問い合わせる確認メッセージを表示させ、継続視聴の要求が無いことを条件に（上述のステップＢ１２でＮＯ）、映像情報の再生出力を停止するようにすれば、不意の出力停止を防ぐことができる。
【００６１】
その他、テレビ放送受信機能付の携帯電話装置に限らず、例えば、テレビ放送受信機能付のＰＤＡ・電子カメラ・電子腕時計・音楽再生機などの携帯端末装置であっても同様に適用可能である。更に、携帯端末装置に限らず、据置き型のテレビ放送受信機能付のビデオ装置、テレビ受信機などであってもよい。
【図面の簡単な説明】
【００６２】
【図１】映像出力装置として適用したテレビ放送受信機能付きの携帯電話装置を示した外観斜視図。
【図２】テレビ放送受信機能付きの携帯電話装置１を外部クレードル（充電台）２に載置（接続）した状態を示した図。
【図３】デジタルテレビ放送受信機能付きの携帯電話装置１の基本的な構成要素を示したブロック図。
【図４】テレビ放送受信開始がユーザ指示された際に実行開始される動作を示したフローチャート。
【図５】第２実施例において、テレビ放送受信開始がユーザ指示された際に実行開始される動作を示したフローチャート。
【図６】図５に続く、フローチャート。
【図７】第３実施例において、映像再生がユーザ指示された際に実行開始される動作を示したフローチャート。
【符号の説明】
【００６３】
１  携帯電話装置
１Ａ  操作部筐体
１Ｂ  表示部筐
１Ｃ  キーボード
１Ｄ  メイン画面
１Ｅ  カメラレンズ部
２  外部クレードル
１１  ＣＰＵ
１２  記憶部
１３  記録メディア
１５  電話通信部
２０  メイン表示部
２２  キー操作部
２３  インカメラ
２４  テレビ放送受信部
２５  サウンドスピーカ
２６  スタイル検出部
２７  クレードル接続部
２８  導体センサ
【図１】
2008154125.tif 000003
【図２】
2008154125.tif 000004
【図３】
2008154125.tif 000005
【図４】
2008154125.tif 000006
【図５】
2008154125.tif 000007
【図６】
2008154125.tif 000008
【図７】
2008154125.tif 000009